(57)【特許請求の範囲】
【請求項１】
天井の近傍に敷設する第一，第二レールの端部どうしを鴨居を挟んだ状態で接近配置し、前記第一レールに第一台車を設けるとともに前記第二レールに第二台車を設け、夫々の台車に着脱手段を設け、前記鴨居の近傍に固定索条部材を吊り下げて該固定索条部材の下端に着脱手段を設ける一方、
被介護者を吊り下げるための吊り手段を有するリフタ本体を設け、該リフタ本体には上方への引き出し及び巻き取りが可能な可動索条部材を設けると共に該可動索条部材の先端には前記第一，第二台車の着脱手段のいずれかと係合させるための着脱手段を設け、前記リフタ本体の上面には前記固定索条部材の着脱手段と一時的に係合させるための着脱手段を設け、
前記いずれか一方の台車の着脱手段に前記可動索条部材の着脱手段が係合して前記リフタ本体が吊り下げられた状態から、前記固定索条部材の着脱手段に前記リフタ本体の上面の着脱手段を一時的に係合させ、前記固定索条部材に前記リフタ本体を吊り下げた状態で、前記可動索条部材の着脱手段を前記一方の台車の着脱手段から外して前記他方の台車の着脱手段に係合させ、前記固定索条部材の着脱手段からリフタ本体の上面の着脱手段を外し、前記リフタ本体が前記鴨居を通過するようにしたことを特徴とする介護用リフタ装置。
【発明の詳細な説明】
【０００１】
【産業上の利用分野】
本発明は介護用リフタ装置に関し、鴨居部分の通過を容易に行えるようにしたものである。
【０００２】
【従来の技術】
介護用リフタ装置の基本的な構成を図７に示す。図のように家屋の天井の近傍にレール１が敷設されており、レール１の内部に４つの車輪２を介して移動自在に設けられた台車３からフック４を有するベルト５が吊り下げられている。フック４にはフック６を有するベルト７を介してリフタ本体８が吊り下げられ、リフタ本体８に２本の吊りベルト９等を介して被介護者１０が吊り上げられる。リフタ本体８内には図示しないバッテリとモータが収容されており、モータによって駆動され図示しないドラムでベルト７を巻き取ったり巻き戻したりすることによりリフタ本体８と共に被介護者１０を昇降させることができる。なお、１１はリフタ本体８を昇降させるためのペンダントスイッチとリフタ本体８とをつなぐケーブルである。
【０００３】
斯かる介護用リフタ装置では、介護者が被介護者１０を吊りベルト９上に載せたのちに２人のうちのいずれかがペンダントスイッチを操作してリフタ本体８と共に被介護者１０を吊り上げ、その後に介護者が被介護者１０を押してレール１に沿って移動させる。
【０００４】
レール１は天井近傍に設置されるため、鴨居の部分では鴨居を切り欠いてレールを設置したり、あるいは図８のようにして鴨居部分を通過できるように構成している。即ち、以下のようになっている。本体８には、レバー１２が実線で示すＡの位置にあるときはペンダントスイッチの操作により巻き取り又は巻き戻しされるベルト７ａと、仮想線で示すＢの位置にあるときは同様にして動くベルト７ｂとの２本のベルトが設けられている。そしてレール１ａに沿って図中の右から左へリフタ本体８が移動して鴨居１３にさしかかると、レバー１２をＡの位置からＢの位置へ倒してペンダントスイッチによりベルト７ｂを巻き戻して長くし、フック６ｂをフック４ｂに掛ける。その後、ベルト７ｂを巻き取って短くしたあとレバー１２をＡの位置へ戻してベルト７ａを巻き戻して長くし、リフタ本体８が鴨居１３を通過してベルト５ｂの下方へ移動してベルト７ａにたるみが生じたらフック４ａからフック６ａを外す。以上の作業により、リフタ本体８はレール１ａからレール１ｂへ移動することができる。なお、１４は吊りベルトを掛けるためのフックである。
【０００５】
【発明が解決しようとする課題】
ところが、鴨居を切り欠くと、切り欠く作業に多くの労力が必要になるだけでなく、その後に介護用リフタ装置が不要になったときに鴨居を再生することができないことから都合が悪い。また、図８のように介護用リフタ装置を構成すると、２本のベルトを個別に巻き取ったり巻き戻したりすることからリフタ本体の構造が複雑になってコストが高くなるだけでなく、レバーを切り換えてベルト長を操作するため、操作が複雑になる。
【０００６】
そこで本発明は、斯る課題を解決した介護用リフタ装置を提供することを目的とする。
【０００７】
【課題を解決するための手段】
斯る目的を達成するための本発明の構成は、天井の近傍に敷設する第一，第二レールの端部どうしを鴨居を挟んだ状態で接近配置し、前記第一レールに第一台車を設けるとともに前記第二レールに第二台車を設け、夫々の台車に着脱手段を設け、前記鴨居の近傍に固定索条部材を吊り下げて該固定索条部材の下端に着脱手段を設ける一方、被介護者を吊り下げるための吊り手段を有するリフタ本体を設け、該リフタ本体には上方への引き出し及び巻き取りが可能な可動索条部材を設けると共に該可動索条部材の先端には前記第一，第二台車の着脱手段のいずれかと係合させるための着脱手段を設け、前記リフタ本体の上面には前記固定索条部材の着脱手段と一時的に係合させるための着脱手段を設け、前記いずれか一方の台車の着脱手段に前記可動索条部材の着脱手段が係合して前記リフタ本体が吊り下げられた状態から、前記固定索条部材の着脱手段に前記リフタ本体の上面の着脱手段を一時的に係合させ、前記固定索条部材に前記リフタ本体を吊り下げた状態で、前記可動索条部材の着脱手段を前記一方の台車の着脱手段から外して前記他方の台車の着脱手段に係合させ、前記固定索条部材の着脱手段からリフタ本体の上面の着脱手段を外し、前記リフタ本体が前記鴨居を通過するようにしたことを特徴とする。
【０００８】
【作用】
一方のレール上の台車からリフタ本体の可動索条部材を介してリフタ本体が吊り下げられている状態より固定索条部材をリフタ本体に結合し、可動索条部材をたるませると、リフタ本体は固定索条部材に吊り下げられた状態になる。
【０００９】
次に、可動索条部材を他方のレール上の台車に結合して可動索条部材を短くすると、リフタ本体は他方のレール上の台車に吊り下げられた状態になって固定索条部材がたるむ。最後に固定索条部材をリフタ本体から切り離せばよい。
【００１０】
【実施例】
以下、本発明を図面に示す実施例に基づいて詳細に説明する。なお、本実施例は従来の介護用リフタ装置の一部を改良したものなので、従来と同一部分には同一符号を付して説明を省略し、異なる部分のみを説明する。
【００１１】
本発明による介護用リフタ装置の構成を、図１に示す。図のように、鴨居１３によって分割される同一直線に沿って、レール１ａとレール１ｂとが天井の近傍に敷設されている。そして、レール１ａに沿って移動自在な台車３ａにはフック４ａが設けられ、レール１ｂに沿って移動自在な台車３ｂにはフック４ｂが設けられている。このほか、台車３ａ，３ｂが鴨居１３の近傍に位置するときの台車３ａと台車３ｂとの間には、レール１ａから吊り下げたようにして固定索条部材としての固定ベルト１６が設けられ、固定ベルト１６の下端にフック１７が設けられている。
【００１２】
一方、リフタ本体８には図示しないモータで駆動されるドラムに巻回した状態の単一の可動索条部材としてのベルト７が設けられるとともにその一端が上方に向かって引き出され、その先端にはフック６が取り付けられている。そして、本発明ではベルト７の引き出し口の横にリフタ本体８に固定した状態で固定フック１８が設けられている。リフタ本体８におけるその他の構成は従来と同じなので、説明を省略する。
【００１３】
次に、斯かる介護用リフタ装置の作用を説明する。鴨居１３を越えてレール１ｂからレール１ａへリフタ本体８を移動させるには、以下のようにして行う。図１のように、被介護者１０と共にリフタ本体８を吊るした台車３ｂをレール１ｂの端部まで移動させたら、図２に示すように固定ベルト１６のフック１７を引き寄せてリフタ本体８の固定フック１８に引っ掛ける。次に、ペンダントスイッチを操作してベルト７をリフタ本体８から引き出す。すると、図３に示すようにリフタ本体８は鴨居１３を通過して右下へ移動し、固定ベルト１６のみで吊り下げられた状態になる。このときベルト７はたるみが生じるので、フック６をフック４ｂから外して図４のようにフック４ａに引っ掛ける。このあとは、ベルト７をリフタ本体８の中へ巻き戻すと、図５に示すようにリフタ本体８が右上へ移動して台車３ａのみに吊り下げられた状態となる。従って、この状態でフック１７を固定フック１８から外せばリフタ本体８は固定ベルト１６から開放されることになり、リフタ本体８をレール１ａに沿って移動させることができる。
【００１４】
次に、リフタ本体８の他の実施例を図６に示す。この実施例は、固定フック１８をピン１８ｂを介して回動自在に固定軸１８ａに取り付けたものである。このほか、リフタ本体８の両側にはリフタ本体８を運搬する際に作業者がリフタ本体８を持ち上げるための取手１９が設けられ、取手１９に吊りベルトを引っ掛けるためのフック１４が取り付けられている。取手１９を設けたのは、リフタ本体８が約１０ｋｇもあって重く、リフタ本体８をレール１ａ，１ｂから取り外して移動させる場合に作業性がよいからである。
【００１５】
なお、本実施例では索条部材としてベルトを用いたがワイヤ等であってもよい。また、固定索条部材としての固定ベルト１６をレール１ａに固定したが、レール１ｂに固定してもよく、あるいは鴨居１３や鴨居１３の近傍に固定してもよい。更に、着脱手段としては閉じた形状のフックと開口部のある形状のフックとが係合するように設定したが、開口部のある形状のものどうしの組み合わせにしてもよく、あるいはフックに限らずワンタッチで着脱できる構造のものなら何でもよい。また更に、吊り手段としては吊りベルトを用いたものに限定されるものではない。
【００１６】
【発明の効果】
以上の説明からわかるように、本発明による介護用リフタ装置によれば鴨居を挾んで相互に接近した位置へ移動させた第一，第二台車の間に着脱手段を有する固定索条部材を設ける一方、リフタ本体にも着脱手段を設けたので、鴨居を切り欠くことなく容易にレールを敷設することができる。また、従来のようにリフタ本体に巻き取りと巻き戻しが可能な可動索条部材を２本も設ける必要がないので、リフタ本体の構造が簡単になりかつコスト安になる。
【図面の簡単な説明】
【図１】  本発明による介護用リフタ装置の実施例を示す説明図。
【図２】  本発明による介護用リフタ装置の実施例を示す説明図。
【図３】  本発明による介護用リフタ装置の実施例を示す説明図。
【図４】  本発明による介護用リフタ装置の実施例を示す説明図。
【図５】  本発明による介護用リフタ装置の実施例を示す説明図。
【図６】  本発明による介護用リフタ装置の実施例におけるリフタ本体の他の実施例に係り、（ａ）は平面図、（ｂ）は正面図、（ｃ）は右側面図。
【図７】  従来の介護用リフタ装置の構成図。
【図８】  従来の介護用リフタ装置の作用説明図。
【符号の説明】
１ａ，１ｂ…レール
３ａ，３ｂ…台車
４ａ，４ｂ，６，１７…フック
７…ベルト
８…リフタ本体
９…吊りベルト
１０…被介護者
１３…鴨居
１６…固定ベルト
１８…固定フック
【図１】
0003963967.tif 000002
【図２】
0003963967.tif 000003
【図３】
0003963967.tif 000004
【図４】
0003963967.tif 000005
【図５】
0003963967.tif 000006
【図６】
0003963967.tif 000007
【図７】
0003963967.tif 000008
【図８】
0003963967.tif 000009